(57)【要約】【課題】光源ユニットの周囲から照明器具がはみ出さない、意匠性を向上した照明装置を提供する。【解決手段】光源ユニット３００は、四角形状をなす板状のユニット板状本体部３１１と、ユニット板状本体部３１１の一方の面に配置されるＬＥＤモジュールと、前記一方の面の反対側の他方の面に四角形状の一辺に沿って取り付けられ、照明器具に配置された取付バネと係合する２つの係合受部３５０と、前記他方の面に前記一辺に対向する他辺に沿って配置され、係合受部３５０の前記相手部品とは異なる相手部品に引っ掛けられる２つの引っ掛け爪部３１２ａとを備える。【選択図】図５
2016157583.tif 000002
【特許請求の範囲】
【請求項１】
照明器具に着脱可能に取り付けられる光源ユニットにおいて、
四角形状をなす板状のユニット板状本体部と、
前記ユニット板状本体部の一方の面に配置される光源モジュールと、
前記一方の面の反対側の他方の面に前記四角形状の一辺に沿って取り付けられ、前記照明器具に配置された相手部品と係合する複数の光源側係合部と、
前記他方の面に前記一辺に対向する他辺に沿って配置され、前記光源側係合部の前記相手部品とは異なる前記照明器具に配置された相手部品に引っ掛けられる複数の引掛部とを備える光源ユニット。
【請求項２】
前記引掛部は、
前記他辺から前記一辺に向かう方向である内側方向に突出する請求項１に記載の光源ユニット。
【請求項３】
前記引掛部は、
前記一辺から前記他辺に向かう方向である前記ユニット板状本体部の外側方向に突出する請求項１に記載の光源ユニット。
【請求項４】
前記ユニット板状本体部は、
前記他辺から立ち上がる側壁形状の枠部を有し、
前記引掛部は、
前記枠部と一体的に形成される請求項１から請求項３のいずれか一項に記載の光源ユニット。
【請求項５】
光源ユニットが着脱可能に取り付けられる照明器具において、
四角形状をなす板状の器具板状本体部と、
前記器具板状本体部の一辺に沿って配置され、前記光源ユニットに配置された相手部品と係合する複数の器具側係合部と、
前記一辺と対向する他辺に形成され、前記器具側係合部の前記相手部品とは異なる前記照明器具に配置された相手部品が引っ掛けられる複数の器具側引っ掛け部が配置された引掛配置部と
を備える照明器具。
【請求項６】
前記複数の器具側引っ掛け部は、
開口である請求項５に記載の照明器具。
【請求項７】
請求項１記載の光源ユニットと、
請求項５に記載の照明器具とを備える照明装置。
【請求項８】
請求項７に記載の照明装置において、
前記光源ユニットは、
前記ユニット板状本体部が、前記照明器具の前記器具板状本体部と平行となるように、かつ、前記器具板状本体部が上となり、前記ユニット板状本体部が下となるような配置状態で前記照明器具に取り付けられ、
前記光源ユニットは、
前記配置状態で、上下方向に対する直角方向となる水平方向の大きさが、前記照明器具よりも大きい照明装置。
【発明の詳細な説明】
【技術分野】
【０００１】
この発明は、光源ユニット、照明器具及び照明装置に関する。
【背景技術】
【０００２】
光源ユニットを照明器具に着脱可能に取り付ける技術がある（例えば、特許文献１、２参照）。
【０００３】
光源ユニットの一方側を引っかけてから、他方側をバネで光源ユニットを引き上げる場合、光源ユニットの引っ掛け部が照明器具から突出しないように収納する収納部が必要となっていた。
【先行技術文献】
【特許文献】
【０００４】
【特許文献１】特開２０１２−２２６９５６号公報
【特許文献２】特開２０１４−７８４２６号公報
【発明の概要】
【発明が解決しようとする課題】
【０００５】
本発明は、光源ユニットの周囲から照明器具がはみ出さないようにして、照明装置の意匠性を向上させることを目的とする。
【課題を解決するための手段】
【０００６】
この発明の光源ユニットは、
照明器具に着脱可能に取り付けられる光源ユニットにおいて、
四角形状をなす板状のユニット板状本体部と、
前記ユニット板状本体部の一方の面に配置される光源モジュールと、
前記一方の面の反対側の他方の面に前記四角形状の一辺に沿って取り付けられ、前記照明器具に配置された相手部品と係合する複数の光源側係合部と、
前記他方の面に前記一辺に対向する他辺に沿って配置され、前記光源側係合部の前記相手部品とは異なる前記照明器具に配置された相手部品に引っ掛けられる複数の引掛部とを備える。
【発明の効果】
【０００７】
本発明によれば、光源ユニットの周囲から照明器具がはみ出さないようにして、照明装置の意匠性を向上させることができる。
【図面の簡単な説明】
【０００８】
【図１】実施の形態１の図で、照明装置１００の斜視図。
【図２】実施の形態１の図で、照明器具２００、光源ユニット３００の分解斜視図。
【図３】実施の形態１の図で、照明装置１００を天面方向から見たときの上視図。
【図４】実施の形態１の図で、照明装置１００の４面図。
【図５】実施の形態１の図で、光源ユニット３００における係合受部３５０の取付面を示す斜視図。
【図６】実施の形態１の図で、取付バネ２３０の斜視図。
【図７】実施の形態１の図で、係合受部２５０の斜視図。
【図８】実施の形態１の図で、引っ掛け爪部３１２ａの３面図を示す図であり、（ａ）は平面図、（ｂ）は左側面図、（ｃ）は正面図。
【図９】実施の形態１の図で、引っ掛け爪部３１２ａを示す模式的な図。
【図１０】実施の形態１の図で、光源ユニット３００の照明器具２００への取り付け過程を説明するための斜視図。
【図１１】実施の形態１の図で、照明装置１００における引っ掛け爪部３１２ａの引っ掛け孔２２２ａへの係合状態を示す断面図。
【図１２】実施の形態１の図で、光源ユニット３００の照明器具２００への取り付け過程を説明するための断面図。
【図１３】実施の形態１の図で、照明器具２００の意匠効果を説明するための図。
【図１４】実施の形態１の図で、引っ掛け爪部３１２ａの変形例を示す模式的な図。
【発明を実施するための形態】
【０００９】
実施の形態１．
図１〜図１４を用いて、本実施の形態を示す光源ユニット、照明器具及び照明装置の詳細を説明する。
【００１０】
＜＊＊＊構成の説明＊＊＊＞
図１に示すように、照明装置１００は、外郭形状がスクエア形の照明器具２００と、照明器具２００に取り付けられる光源ユニット３００とを備える。
【００１１】
（照明器具２００）
図２に示すように、照明器具２００は、四角形状あるいは正方形状の器具板状本体部２１０と、器具板状本体部２１０の四辺のそれぞれから折り曲げられて形成される４つの縁部２２０と、器具板状本体部２１０に取り付けられる２つの取付バネ２３０と、同じく器具板状本体部２１０に取り付けられ、外部から引き込まれる電源線（図示しない）と電線２４１とコネクタ４００Ｌが取り付けられる電源端子台２４０とを備える。
【００１２】
（縁部２２０）
図２、図１１に示すように、４つの縁部２２０は、器具板状本体部２１０から斜め方向に立ち上がる傾斜部２２１と、傾斜部２２１の先端から器具板状本体部２１０に対して略垂直となるように折り曲げられて形成される立上部２２２を有する。図２に示すように、４つの縁部２２０のうちの一つの縁部の立上部２２２には、２つの引っ掛け孔２２２ａが形成されている。
【００１３】
（取付バネ２３０）
図２に示すように、２つの取付バネ２３０は、２つの引っ掛け孔２２２ａが形成されている縁部２２０と対向する縁部側寄りで器具板状本体部２１０に取り付けられる。
【００１４】
（光源ユニット３００）
図２、図５に示すように、光源ユニット３００は、ユニット本体３１０、ＬＥＤ３２１が実装される光源モジュールであるＬＥＤモジュール３２０、電源３３０、透光性カバー３４０、係合受部３５０、引っ掛け爪部３１２ａを備える。なお、図５では簡易化した電源３３０を示した。ＬＥＤモジュール３２０は、ユニット本体３１０に取り付けられる。電源３３０は、ＬＥＤモジュール３２０が取り付けられる面とは反対側の面のユニット本体３１０に取り付けられる。透光性カバー３４０は、ＬＥＤモジュール３２０を覆うようにユニット本体３１０に取り付けられる。
【００１５】
（ユニット本体３１０）
図５に示すように、ユニット本体３１０は、四角形状あるいは正方形状のユニット板状本体部３１１と、ユニット板状本体部３１１の四辺から略垂直方向に折り曲げられる４つの枠部３１２とを備える。
【００１６】
（引っ掛け爪部３１２ａ）
４つの枠部３１２のうち一つの枠部３１２の位置に、内側方向に突出する係合爪３１２ｂを有する引っ掛け爪部３１２ａをそれぞれ配置する。図８，図９に示すように、引っ掛け爪部３１２ａは、板状のプレート部３１２ｃから起き上がる起立部３１２ｄの端部に、係合爪３１２ｂを有する。係合爪３１２ｂは引っ掛け孔２２２ａに挿し込まれて引っ掛け孔２２２ａと係合する。
【００１７】
（取付バネ２３０）
図６に示すように、取付バネ２３０は器具板状本体部２１０に取り付けられる取付部２３１、円弧形状をなし、係合受部３５０の開口縁部３５１−１（後述する）と係合する円弧形状部２３２、係合受部３５０の開口縁部３５１−１に引っ掛けられる先端部２３３を有する。
【００１８】
（係合受部３５０）
係合受部３５０は、引っ掛け爪部３１２ａが設けられている枠部３１２に対向する枠部側のユニット板状本体部３１１に取り付けられる。図７に示すように、係合受部３５０は、開口３５１が形成されており、取付バネ２３０の円弧形状部２３２が挿し込まれて、円弧形状部２３２が開口３５１の開口縁部３５１−１に対して摺動する。係合受部３５０は、受部側取付部３５２がネジによってユニット板状本体部３１１に形成された本体側取付部３１１ａに固定されることで、ユニット板状本体部３１１に固定される。
【００１９】
（光源ユニット３００の照明器具２００への取付工程）
次に、図１０〜図１２を参照して、光源ユニット３００を照明器具２００に取り付ける工程について説明する。
（１）まず、作業者は、光源ユニット３００の引っ掛け爪部３１２ａの係合爪３１２ｂを照明器具２００の引っ掛け孔２２２ａに外側から引っ掛けるように挿入する。つまり、係合爪３１２ｂを図２の矢印Ｘの方向に、引っ掛け孔２２２ａに通す。
（２）その後、作業者は、図１０に示すように光源ユニット３００を矢印の方向に持ち上げ、取付バネ２３０の先端部２３３を、光源ユニット３００の係合受部３５０の開口縁部３５１−１に引っ掛ける。このとき、図１２に示すように、光源ユニット３００が照明器具２００にぶら下がった仮止め状態とすることができる。
【００２０】
したがって、光源ユニット３００の仮止めの状態で、作業者は、照明器具２００に配置された電源端子台２４０から引き出されている電線のコネクタ４００Ｍと、光源ユニット３００の電源３３０から引き出されている電線のコネクタ４００Ｌとを接続することができる。よって、照明器具２００と光源ユニット３００との結線を容易に行うことができる。
【００２１】
次に、光源ユニット３００の仮止めの状態から光源ユニット３００を押し上げていくと、取付バネ２３０のバネ力（復元力）によって、光源ユニット３００を照明器具２００側に引き上げることができ、また、光源ユニット３００を引き上げた状態を維持することができる。
【００２２】
＜＊＊＊効果の説明＊＊＊＞
このように、引っ掛け孔２２２ａ、係合爪３１２ｂの組と、取付バネ２３０、係合受部３５０の組によって、光源ユニット３００を照明器具２００に取り付けるので、光源ユニット３００の荷重を引っ掛け孔２２２ａ・引っ掛け爪部３１２ａと、取付バネ２３０・係合受部３５０に分散させることができる。このため、取付バネ２３０に係る荷重を軽減することができるので、光源ユニット３００の荷重がかかることによる取付バネ２３０の経年劣化（バネ性の劣化，へたり）の進み具合を遅らせることができる。
【００２３】
また、図１、図２、図３、図４に示すように、照明器具２００に傾斜部２２１を設け、矩形板状のユニット本体３１０よりも、矩形板状の器具板状本体部２１０の板面積を小さくした。よって図１３に示すように、照明装置１００を天井に取り付けた際、人が見上げた場合、照明器具２００が光源ユニット３００によって隠れるので、照明装置１００の意匠性を向上させることができる。
【００２４】
なお、引っ掛け爪部３１２ａでは図９に示すように係合爪３１２ｂは内側方向に突出し、引っ掛け孔２２２ａにＸ方向（図２）で挿し込まれた。これに対して、図１４に示すように、係合爪３１２ｂが外側方向に突出し、係合爪３１２ｂが引っ掛け孔２２２ａの内側（Ｘ方向の反対方向）から引っ掛け孔２２２ａに挿し込まれて引っ掛けられ、光源ユニット３００が照明器具２００に取り付けられてもよい。
【００２５】
実施の形態１で述べた２つの係合受部３５０は、相手部品である２つの取付バネ２３０と係合する光源側係合部６００である。光源側係合部６００は複数であればよく、この実施の形態では２つの場合を示したが、３つ、４つ等に並んでもよい。
【００２６】
以上の実施の形態１では、複数の係合受部３５０はユニット板状本体部３１１の一方の面に配置された。しかし、係合受部３５０と取付バネ２３０の配置を反対にし、つまり、複数の係合受部３５０を器具板状本体部２１０に配置し、取付バネ２３０をユニット板状本体部３１１に配置してもよい。
【００２７】
複数の取付バネ２３０の各々は係合受部３５０に対応するが、取付バネ２３０の個数についても係合受部３５０と同様であり、取付バネ２３０の個数と同じである。
【００２８】
以上のように、光源ユニット３００は、照明器具２００に着脱可能に取り付けられる。光源モジュールであるＬＥＤは、ユニット板状本体部３１１の他方の面に、係合受部３５０の沿う一辺に対向する他辺に沿って配置され、光源側係合部６００の相手部品である取付バネ２３０とは異なる相手部品の引っ掛け固定具２５０に引っ掛けられる引掛部５００である引っ掛け爪部３１２ａを備える。
【００２９】
引掛部５００である引っ掛け爪部３１２ａは、前記他辺から前記一辺に向かう方向である内側方向に突出して配置される。
【００３０】
なお引掛部５００は、前記一辺から前記他辺に向かう方向であるユニット板状本体部３１１の外側方向に突出する形状でもよい。
【００３１】
ユニット板状本体部３１１は、前記他辺から立ち上がる側壁形状の枠部３１２を有する。
引掛部５００は、枠部３１２と一体的に形成されてもよい。
【００３２】
照明器具２００では、器具板状本体部２１０の一辺に沿って配置され、光源ユニット３００に配置された相手部品である係合受部３５０と係合する複数の器具側係合部７００である取付バネ２３０と、前記一辺と対向する他辺に形成され、器具側係合部７００の相部品とは異なる相手部品が引っ掛けられる２つの器具側引っ掛け部８００である引っ掛け孔２２２ａが配置された、引掛配置部である立上部２２２を備える。
【００３３】
複数の器具側引っ掛け部８００は、開口の引っ掛け孔２２２ａである。
【００３４】
図１、図３、図４の（ａ），図１１等に示すように、実施の形態１の照明装置１００では、光源ユニット３００は、ユニット板状本体部３１１が、照明器具２００の器具板状本体部２１０と平行となるように、かつ、器具板状本体部２１０が上となり、ユニット板状本体部３１１が下となるような配置状態で照明器具２００に取り付けられる。そして光源ユニット３００は、上記配置状態で、上下方向に対する直角方向となる水平方向の大きさが、照明器具２００よりも大きい。
【符号の説明】
【００３５】
１００  照明装置、２００  照明器具、２１０  器具板状本体部、２２０  縁部、２２１  傾斜部、２２２  立上部、２２２ａ  引っ掛け孔、２３０  取付バネ、２４０  電源端子台、３００  光源ユニット、３１０  ユニット本体、３１１  ユニット板状本体部、３１２  枠部、３１２ａ  引っ掛け爪部、３２０  ＬＥＤモジュール、３３０  電源、３４０  透光性カバー、３５０  係合受部、４００ａ，４００ｂ  コネクタ、５００  引掛部、６００  光源側係合部、６００  光源側係合部、７００  器具側係合部、８００  器具側引っ掛け部。
【図１】
2016157583.tif 000003
【図２】
2016157583.tif 000004
【図３】
2016157583.tif 000005
【図４】
2016157583.tif 000006
【図５】
2016157583.tif 000007
【図６】
2016157583.tif 000008
【図７】
2016157583.tif 000009
【図８】
2016157583.tif 000010
【図９】
2016157583.tif 000011
【図１０】
2016157583.tif 000012
【図１１】
2016157583.tif 000013
【図１２】
2016157583.tif 000014
【図１３】
2016157583.tif 000015
【図１４】
2016157583.tif 000016